(57)【特許請求の範囲】
【請求項１】
大径の大体部と、前記大体部の一端面に突設した小径の筒体部と、さらに小径の支軸部を前記筒体部の一端面に突設して設け、前記筒体部の外周面に半径方向に対称的に突出した鍔部を設けると共に、前記支軸部の外周面に前記鍔部と軸方向で重なる位置に対称的に突出した弾性片と該弾性片の前記鍔部よりも外周に位置する一端部に形成された係合爪部を有する弾性爪部を設けたスイッチケースと、一方、前記スイッチケースを挿通して取り付ける筒状の取付基体の内周側には、前記鍔部と前記大体部との間に嵌入可能な内径部と、該内径部よりも外周に形成された拡径部とを設け、該拡径部には前記スイッチケースを周方向に回転させたときに前記弾性爪部と係合する係合突部が形成され、前記内径部には前記鍔部を取付回転方向で係止させる係止部が形成され、前記内径部を前記鍔部と前記大体部との間に嵌入すると共に、前記弾性爪部を前記係合突部に係合することによりスイッチケースの戻り回動を規制して、前記スイッチケースを前記取付基体に取り付ける構成としたことを特徴とするスイッチの取付装置。
【請求項２】
前記弾性爪部が前記係合突部に係合したときに、前記係合爪部を取付基体の前記拡径部の表面に当接させることを特徴とした請求項１に記載のスイッチの取付装置。
【請求項３】
前記弾性爪部の先端部に前記支持軸側に向かって屈折し、前記係合爪部を前記係合突部から解除する解除部を設けたことを特徴とした請求項１に記載のスイッチの取付装置。
【発明の詳細な説明】
【０００１】
【発明が属する技術分野】
本発明は、自動車用ヒーターコントロール装置のファンスイッチ等に用いられるスイッチの取付装置に関する。
【０００２】
【従来の技術】
従来、このようなスイッチの取付装置は、図７に示すようにスイッチケース３に弾性爪部２を設け、弾性爪部２をたわませながら取付基体４の取付孔４ａにスイッチケース３を挿入し、弾性爪部２の係合爪部２ａを取付孔４ａの周辺に係合させ、スイッチ１を取付基体４に一体的に取り付けるものがある。
【０００３】
また、図７において、取り付けを強固にするため、弾性爪部２の代わりにスイッチケース３の支軸部５ａにねじ部を設け、そのねじ部に樹脂ナットを締め付けることにより、樹脂ナットと大体部５により取付基体４を挟み込んで、スイッチ１を取付基体４に一体的に取り付けるものもある。
【０００４】
【発明が解決しようとする課題】
しかしながら、上記のようなスイッチの取付装置では、強度の弱い弾性爪部２によってスイッチ１を取付基体４に保持させるものであるため、取り付けが不安定となると共に、取付位置を確認し難いため、取り付けが不十分になってしまうという問題があった。
【０００５】
一方、スイッチ１のねじ部に樹脂ナットを締め付けて取り付ける場合には、樹脂ナットの締め付け過剰により、スイッチ１を破壊してしまう恐れがあった。また、樹脂ナットの締め付けが不十分だと、振動などによりスイッチ１が脱落してしまうという問題があった。
【０００６】
そこで本発明では、スイッチを取付基体に容易にワンタッチで取り付けることができると共に、スイッチを破壊することなく確実に取付基体に取り付けることのできるスイッチの取付装置を提供することを目的とする。
【０００７】
【課題を解決するための手段】
前記した課題を解決するため、本発明の第１の発明は、大径の大体部と、前記大体部の一端面に突設した小径の筒体部と、さらに小径の支軸部を前記筒体部の一端面に突設して設け、前記筒体部の外周面に半径方向に対称的に突出した鍔部を設けると共に、前記支軸部の外周面に前記鍔部と軸方向で重なる位置に対称的に突出した弾性片と該弾性片の前記鍔部よりも外周に位置する一端部に形成された係合爪部を有する弾性爪部を設けたスイッチケースと、一方、前記スイッチケースを挿通して取り付ける筒状の取付基体の内周側には、前記鍔部と前記大体部との間に嵌入可能な内径部と、該内径部よりも外周に形成された拡径部とを設け、該拡径部には前記スイッチケースを周方向に回転させたときに前記弾性爪部と係合する係合突部が形成され、前記内径部には前記鍔部を取付回転方向で係止させる係止部が形成され、前記内径部を前記鍔部と前記大体部との間に嵌入すると共に、前記弾性爪部を前記係合突部に係合することによりスイッチケースの戻り回動を規制して、前記スイッチケースを前記取付基体に取り付ける構成としたことを特徴とするスイッチの取付装置を提案する。
【０００８】
この第１の発明によれば、鍔部と弾性爪部を別個に設けることにより、弾性の必要な弾性爪部はスイッチの戻り回動を規制するだけでよく、鍔部とスイッチケースの大体部によって取付基体の内径部を挟み込むことにより、スイッチを面接触で取付基体に取り付けることができるので、スイッチを取付基体にがたつき無く取り付けることができる。また、スイッチを回転することにより、弾性爪部が係合突部に係合して戻り回動が規制されると共に、鍔部が係止部に当接して取付方向の回転が規制されて非回動状態にスイッチが保持されることになるため、スイッチを回転するだけで簡単に取付基体に取り付けることができる。
【０００９】
また、第２の発明は第１の発明において、前記弾性爪部が前記係合突部に係合したときに、弾性爪部の係合爪部を取付基体の拡径部の表面に当接させることを特徴とするスイッチの取付装置を提案する。
【００１０】
この第２の発明によれば、弾性爪部が取付基体の係合突部と係合する取付位置において、弾性爪部の係合爪部を取付基体の拡径部の表面に当接することによって生じる当接音により、スイッチの取付位置を容易に確認することができるので、スイッチを破壊することなく、確実に取付基体に取り付けることができる。
【００１１】
また、第３の発明は前記弾性爪部の先端部に前記支持軸側に向かって屈折し、前記係合爪部を前記係合突部から解除する解除部を設けたことを特徴とするスイッチの取付装置を提案する。
【００１２】
この第３の発明によれば、スイッチを取り付けた後でも解除部を操作することにより、弾性爪部と係合突部の係合を解除することができるので、スイッチを容易に取り外すことができる。
【００１３】
【発明の実施の形態】
以下、本発明の実施形態を図面にしたがって説明する。図１は本発明の一実施例形態を示すスイッチ、取付基体を下方から見た斜視図である。図２（ａ）は取付基体にスイッチが取り付けられた状態における断面図、（ｂ）はスイッチを取り外す場合の係合爪部の作動図である。図３（ａ）はスイッチの上方から見た平面図、（ｂ）は正面図、（ｃ）は側面図である。図４（ａ）はスイッチの嵌合側となる取付基体の背面図、（ｂ）は断面図、（ｃ）はスイッチの取付側となる取付基体の正面図である。図５はスイッチと取付基体の取り付け工程を示す説明図である。図６は図５の取り付け工程における係合爪部と係合突部との取り付け状態を示す説明図である
【００１４】
図１に本発明のスイッチの取付装置を示す。１０はファンスイッチ等に使用されるロータリースイッチであり、本実施例では、図示しない操作ノブを有する操作軸１８を回転させることにより、スイッチケース１７とスイッチケース１７に固定されたコネクタ部１９との内部空間に設けた図示しないスイッチ部をスイッチング操作して、そのスイッチング信号をコネクタ部１９内に突出した図示しない接続端子により外部に伝達するようになっている。
【００１５】
図３（ａ）乃至（ｃ）に示すようにスイッチケース１７は、略円筒状の大体部１１、後述する取付基体２０の取付孔２１に挿通可能な筒体部１２、操作軸１８が回転可能に軸支する支軸部１３により構成されている。筒体部１２には半径方向に略平板状の鍔部１２ａが設けられ、この鍔部１２ａと大体部１１の大体面１１ａとにより後述する取付基体２０の内径部２３が嵌入する係合溝部１４を形成している。また、筒体部１２には同様に鍔部１２ｂが鍔部１２ａと対称的に半径方向に突出して設けられ、鍔部１２ｂと大体面１１ａとにより係合溝部１４を形成している。なお、誤組防止のために前記の鍔部１２ａの方が鍔部１２ｂよりも幅径を広く形成されている。
【００１６】
また、１５は略Ｌ字状の弾性爪部であり、支軸部１３から弾性片１５ｄを半径方向に突出し、その弾性片１５ｄの先端部に鍔部１２ａに向かって突出した係合爪部１５ａと支軸部１３側に向かって先端部が屈折した解除部１５ｂを弾性片１５ｄに対して垂直方向に突出して一体的に設けている。係合爪部１５ａには後述する係合突部２２ａの傾斜部２２ｂに当接するテーパ部１５ｃが設けられている。なお、この支軸部１３には弾性爪部１６が弾性爪部１５と対称的に半径方向に突出して設けられており、弾性爪部１５と同様に係合爪部１６ａ、解除部１６ｂが弾性片１６ｄに垂直方向に突出して設けられ、係合爪部１６ａの先端部にはテーパ部１６ｃが設けられている。
【００１７】
図４（ａ）乃至（ｃ）には取付基体２０を示す。取付基体２０は略円筒状でヒーターコントロール装置等のベース体２８に一体的に設置されるようになっている。２７は取付基体２０の前面側に一体形成されたロータリースイッチ１０の取付面であり、取付基体２０の後面側は取り付けたロータリースイッチ１０の解除部１５ｂ，１６ｂを操作可能に開口部２５が形成されている。２１はロータリースイッチ１０の筒体部１２とほぼ同径に形成された取付孔であり、鍔部１２ａ，１２ｂを挿通するための凸溝２１ａ，２１ｂが対称的に形成されている。なお、鍔部１２ａに対応して凸溝２１ａの幅径の方が凸溝２１ｂよりも広く形成されている。
【００１８】
取付面２７の背面側には取付孔２１に沿って鍔部１２ａの旋回領域として設けた内径部２３が形成され、さらにその内径部２３の外周に沿って係合爪部１５ａの旋回領域として設けた拡径部２２が形成してある。また、内径部２３は図３（ａ）示す係合溝部１４の間隔ａとほぼ同じ高さで取付面２７の背面側に軸方向に直立し、同様に拡径部２２は図３（ａ）に示す大体面１１ａと係合爪部１５ａとの間隔ｂとほぼ同じ高さに軸方向に直立して取付基体２０の内周に形成されている。さらに拡径部２２には係合突部２２ａが軸方向に突出して設けられており、ロータリースイッチ１０の係合爪部１５ａが係合可能な高さに形成されている。２３ａは内径部２３に形成した傾斜面、同様に２２ｂは係合突部２２ａに形成した傾斜面であり、ロータリースイッチ１０の回転方向に対向するように形成されている。２６は拡径部２２から延設され、内径部２３の終端部に位置するように設けられた係止部であり、係止部２６は後述するように鍔部１２ａの取り付け方向の回転を係止するものである。さらに係止部２６から取付孔２１の外周に沿って内壁部２４が延設して形成されている。なお、内径部２３、傾斜面２３ａ、拡径部２２、係合突部２２ａ、傾斜面２２ｂ、係止部２６、内壁部２４はそれぞれ取付孔２１の外周に沿って対称的に取付面２７の背面側に形成されている。
【００１９】
次に、上記のように構成したロータリースイッチ１０、取付基体２０の取り付けについて図５（ａ）乃至（ｃ）及び図６（ａ）乃至（ｃ）を参照しながら説明する。なお、図５（ａ）乃至（ｃ）と図６（ａ）乃至（ｃ）の各図はそれぞれ対応するものであり、図６（ａ）乃至（ｃ）は鍔部１２ａ側における係合爪部１５ａと係合突部２２ａについての取り付け工程を示す詳細図である。
【００２０】
まず、ロータリースイッチ１０の鍔部１２ａ，１２ｂを凸溝２１ａ，２１ｂにそれぞれ一致させて、筒体部１２を取付孔２１に大体面１１ａが取付面２７に当接するまで挿入する。大体面１１ａが取付面２７に当接することにより、図６（ａ）に示すように係合爪部１５ａが係合突部２２ａに対向し、また、係合溝部１４に内径部２３が対向する。なお、ロータリースイッチ１０の図５（ａ）において点線矢印にて示す戻り方向の回転は鍔部１２ａが内壁部２４に当接することにより規制される。
【００２１】
その後、スイッチ１を図５（ａ）に実線矢印で示す取付方向に回転すると、係合爪部１５ａのテーパ部１５ｃが係合突部２２ａの傾斜面２２ｂに当接して、図６（ｂ）に示すように係合爪部１５ａが弾性片１５ｄの弾性に抗して押し上げられることにより、係合突部２２ａに乗り上げる。また、鍔部１２ａが内径部２３の傾斜面２３ａでやや押し上げられながら、内径部２３の上部を移動すると共に、係合溝部１４内に内径部２３が進入する。
【００２２】
続いてスイッチ１を図５（ｂ）において、さらに取付方向に回転することにより、係合爪部１５ａが係合突部２２ａを越えて、図５（ｃ）の位置に移動する。このとき、係合爪部１５ａが係合突部２２ａから外れ、拡径部２２の上部に落ち込む。そして、図６（ｃ）に示すように係合爪部１５ａがロータリースイッチ１０の戻り方向で係合突部２２ａに当接するため、ロータリースイッチ１０の戻り方向の回転が規制される。また、ロータリースイッチ１０の取付方向で鍔部１２ａが係止部２６に当接するため、取付方向の回動も係止される。すなわち、ロータリースイッチ１０の取付方向及び戻り方向の回転が規制されることとなり、ロータリースイッチ１０が取付基体２０に対して非回動状態に係止される。
【００２３】
上記のように内径部２３が係合溝部１４内に嵌入することにより、鍔部１２ａと大体面１１ａとの間に内径部２３を挟み込んで保持するため、ロータリースイッチ１０をがたつき無く取付基体に取り付けることができる。さらに係合爪部１５ａが係合突部２２ａに当接して、ロータリースイッチ１０の戻り方向の回動を阻止すると共に、鍔部１２ａが係止部２６に当接して取付方向の回動も係止することにより、振動などによるロータリースイッチ１０の脱落を確実に防止することができる。
【００２４】
また、係合爪部１５ａが係合突部２２ａを越えて、拡径部２２の上部に落ち込むときに係合爪部１５ａを拡径部２２の表面に当接させて当接音が生じるようにすれば、操作感と聴覚により取り付け確認を容易に行うことができるので、締め付け過剰によるロータリースイッチ１０の破壊を防止することができる。
【００２５】
なお、上記は鍔部１２ａ及び弾性爪部１５について説明したが、鍔部１２ｂ及び弾性爪部１６についても同様に、鍔部１２ｂと大体面１１ａにより形成した係合溝部１４に内径部２３を嵌入してロータリースイッチ１０の軸方向の引き抜きを規制すると共に、係合突部２２ａに弾性爪部１６の係合爪部１６ａを係合し、鍔部１２ｂを係止部２６に当接して非回動状態に係止することにより、上記した鍔部１２ａ及び弾性爪部１５と共同してロータリースイッチ１０を取付基体２０に保持する。このように鍔部１２ａ，１２ｂと弾性爪部１５，１６により、ロータリースイッチ１０を確実に取付基体２０取り付けることができる。
【００２６】
すなわち、図２（ａ）に示すようにロータリースイッチ１０は取付基体２０に一体的に取り付いた状態では、鍔部１２ａ，１２ｂが係止部２６に取付方向で当接し、係合爪部１５ａ，１６ａが係合突部２２ａに戻り方向で係合しているため、鍔部１２ａ，１２ｂ又は係合爪部１５ａ，１６ａを破壊してロータリースイッチ１０を回転しない限り、ロータリースイッチ１０を取り外すことはできない。したがって、この状態からロータリースイッチ１０を取り外す場合には、開口部２５から取付基体２０の内周と解除部１５ｂ，１６ｂとの間に治具などを差し込み、図２（ｂ）に示すように解除部１５ｂ，１６ｂを内側に傾け、係合爪部１５ａ，１６ａと係合突部２２ａとの係合を解除することにより、ロータリースイッチ１０を戻り方向に回転可能とすることができる。このようにして、解除部１５ｂ，１６ｂを弾性爪部１５ａ，１６ａから突出させて設けることにより、取付基体２０から容易に取り外すことができる。
【００２７】
以上、本発明の一実施形態について説明したが、本実施例に限定されるものではなく、ロータリースイッチ以外の種々のスイッチに用いることができる。また、弾性爪部１５，１６及び鍔部１２ａ，１２ｂは本発明の実施に際しては二つ以上設けることが好ましいが、必ずしもその必要はない。また、解除部１５ｂ，１６ｂと係合爪部１５ａ，１６ａは、別個に弾性片１５ｄ，１６ｄに形成してもよく、解除部１５ｂ，１６ｂの先端部を屈折させなくてもよい。
【００２８】
【発明の効果】
上記した通り、本発明によれば、大径の大体部と、前記大体部の一端面に突設した小径の筒体部と、さらに小径の支軸部を前記筒体部の一端面に突設して設け、前記筒体部の外周面に半径方向に対称的に突出した鍔部を設けると共に、前記支軸部の外周面に前記鍔部と軸方向で重なる位置に対称的に突出した弾性片と該弾性片の前記鍔部よりも外周に位置する一端部に形成された係合爪部を有する弾性爪部を設けたスイッチケースと、一方、前記スイッチケースを挿通して取り付ける筒状の取付基体の内周側には、前記鍔部と前記大体部との間に嵌入可能な内径部と、該内径部よりも外周に形成された拡径部とを設け、該拡径部には前記スイッチケースを周方向に回転させたときに前記弾性爪部と係合する係合突部が形成され、前記内径部には前記鍔部を取付回転方向で係止させる係止部が形成され、前記内径部を前記鍔部と前記大体部との間に嵌入すると共に、前記弾性爪部を前記係合突部に係合することによりスイッチケースの戻り回動を規制して、前記スイッチケースを前記取付基体に取り付ける構成としたものである。
【００２９】
したがって、スイッチを回転させるだけで、鍔部と大体部によって取付基体の内径部を挟み込み、弾性爪部を係合突部に係合することにより、別途に取付部品を用意することなく、スイッチを確実に取付基体に取り付けることができる。
【００３０】
また、弾性爪部が取付基体の係合突部と係合したときに、弾性爪部の係合爪部を取付基体の拡径部の表面に当接することによって生じる当接音により、スイッチの取付位置を容易に確認することができる。
【００３１】
さらに係合爪部を係合突部から解除する解除部を設ければ、スイッチを取付基体に取り付けた後、スイッチを破壊することなく、取り付けた後のスイッチ交換を簡単にすることができるスイッチの取付装置となる。
【図面の簡単な説明】
【図１】本発明の一実施例形態を示すスイッチ、取付基体を下方から見た斜視図である。
【図２】（ａ）は取付基体にスイッチが取り付けられた状態における断面図である。（ｂ）はスイッチを取り外す場合の係合爪部の作動図である。
【図３】（ａ）はスイッチの平面図、（ｂ）は正面図、（ｃ）は側面図である。
【図４】（ａ）はスイッチの嵌合側となる取付基体の背面図、（ｂ）は断面図、（ｃ）はスイッチの取付側となる取付基体の正面図である。
【図５】スイッチと取付基体の取り付け工程を示す説明図である。
【図６】図５の取り付け工程における係合爪部と係合突部との取り付け状態を示す説明図である。
【図７】従来のスイッチ取付装置における取付基体にスイッチが取り付けられた状態を示す側面図である。
【符号の説明】
１０  ロータリースイッチ
１１  大体部
１２  筒体部
１２ａ，１２ｂ  鍔部
１３  支軸部
１５，１６  弾性爪部
１７  スイッチケース
２０  取付基体
２１  取付孔
２２ａ  係合突部
２３  内径部
２６  係止部
【図１】
0004006228.tif 000002
【図２】
0004006228.tif 000003
【図３】
0004006228.tif 000004
【図４】
0004006228.tif 000005
【図５】
0004006228.tif 000006
【図６】
0004006228.tif 000007
【図７】
0004006228.tif 000008